(57)【要約】【課題】リング内でのシャドーボクシングに適しており、取り付けが容易で、位置がずれず安定しているシャドーボクシング用パッド装置を提供する。【解決手段】シャドーボクシング時にパンチを当てるために使用する弾力性のパッド装置として、人体の上半身相応の大きさを有し、リングのコーナー部分に配置するパッド本体１１と、そのパッド本体をリングのコーナー部分に取り付ける取り付け手段１２とから成り、上記パッド本体は、ほぼ直角のコーナーを形成する左右のロープに接する左右の後部側面部１３ｌ、１３ｒと、上記後部側面部の左右の前端からリング内方に向かう左右の前部側面部１４ｌ、１４ｒと、上記前部側面部の前端をつなぐ正面部１５とを有し、かつ、左右の前部側面部と正面部の境界に形成された左右の角部１７ｌ、１７ｒを有する。【選択図】          図１
0003167134.tif 000002
【実用新案登録請求の範囲】
【請求項１】
シャドーボクシング時にパンチを当てるために使用する弾力性のパッド装置であって、
人体の上半身相応の大きさを有し、リングのコーナー部分に配置するパッド本体と、そのパッド本体をリングのコーナー部分に取り付ける取り付け手段とから成り、
上記パッド本体は、ほぼ直角のコーナーを形成する左右のロープに接する左右の後部側面部と、上記後部側面部の左右の前端からリング内方に向かう左右の前部側面部と、上記前部側面部の前端をつなぐ正面部とを有し、かつ、左右の前部側面部と正面部の境界に形成された左右の角部を有することを特徴とする
シャドーボクシング用パッド装置。
【請求項２】
パッド本体は、左右の後部側面部の後端をつなぐ後面を有することによってコーナー部分に空間を有し、かつまた、左右の前部側面部よりも、正面部の下端部が高くなるように斜めにカットした傾斜下面部とそれにより正面部との間にできたアッパーカットを受ける下角部を有している請求項１記載のシャドーボクシング用パッド装置。
【請求項３】
パッド本体は、平面形状がほぼ正方形の直方体を基本形状とし、正方形の対角線の両端に位置する二つの角をそれぞれ上下に切除して六角柱状とし、切除して形成した二つの面のどちらか一方を正面部とし、他方を後面部とし、正面部の左右両側を前部側面部とし、後面部の左右両側を後部側面部とした構成を有している
請求項２記載のシャドーボクシング用パッド装置。
【請求項４】
取り付け手段はベルトから成り、パッド本体の左右の後部側面部を左右のロープに押し当てた状態に保つように、上記左右の後部側面部に上記ベルトの一端部を取り付け、ベルトの他端部をコーナーポスト及びロープに取り付けるように構成された
請求項１ないし３の何れかに記載のシャドーボクシング用パッド装置。
【考案の詳細な説明】
【技術分野】
【０００１】
本考案は、シャドーボクシング時にパンチを当てるために使用する弾力性を有するシャドーボクシング用パッド装置に関するものである。
【背景技術】
【０００２】
ジムにおけるリング内でのシャドーボクシングを想定した場合、
・鏡を見ながらフォームをチェックする、
・身体のバランスをチェックする、
・目の前の対戦相手を仮想しながら攻防をシミュレーションする、
・フットワーク、ステップワーク、ディフェンスワークを個々にチェックする、
など、練習の目的は様々である。そして、調子の上昇とともに何かを的としてパンチを当てたくなる傾向があり、時としてコーナーパッド（マット）がパンチを当てる対象物となりがちである。
【０００３】
しかし、コーナーパッド（マット）は、リングロープをコーナーポストに固定するターンバックルなどの金具をカバーするだけのものであり、パンチによる打撃に対する耐久性を考慮したものでないことは当然である。通常のトレーニングでは、トレーナーがパンチングミットを持ったり、サンドバッグを抱えたりして、ジャブやストレートパンチ、ワンツーフックからアッパーカットへのコンビネーションを根気良く指導して行くものであるが、このような指導を多数の人達に毎日施しパンチを受けることには相当の根気と労力が必要である。それだけではなく、選手のパンチによる衝撃からトレーナーが手、肩、腰などに受ける身体的障害は、長年月継続することを考慮すると軽視することができない。
【０００４】
これに対して、ボクシングのトレーニングに使用することを目的とした器具や装置に関する発明考案には、例えば、実開平５−１１９７３号に開示されたボクシングスタンドセットがあるが、これは移動が可能であるとはいえリング内でのトレーニングに適したものではなく、特開平１０−３３７３６号のボール打撃練習装置にしても同様である。実用新案登録第３０７０３２８号は分解可能なボクシング練習装置であるのでリングに持ち込み得るとも思われるが、円筒形で変化のないパッドは従来のサンドバッグと同様であり、また少しでもリングを広く使いたいという一般的な要求に反することになる。そこで本件の考案者は、従来からのコーナーパッドの改良を試み、本考案に到達した。
【０００５】
【特許文献１】実開平５−１１９７３号
【特許文献２】特開平１０−３３７３６号
【特許文献３】実用新案登録第３０７０３２８号
【考案の開示】
【考案が解決しようとする課題】
【０００６】
本考案は前記の点に着目してなされたもので、その課題は、リング内でのシャドーボクシングに適したシャドーボクシング用パッド装置を提供することである。また、本考案の他の課題は、取り付けが容易で、位置がずれず安定しているシャドーボクシング用パッド装置を提供することである。
【課題を解決するための手段】
【０００７】
前記の課題を解決するため、本考案は、シャドーボクシング時にパンチを当てるために使用する弾力性を有するパッド装置について、人体の上半身相応の大きさを有し、リングのコーナー部分に配置するパッド本体と、そのパッド本体をリングのコーナー部分に取り付ける取り付け手段とから成り、上記パッド本体は、ほぼ直角のコーナーを形成する左右のロープに接する左右の後部側面部と、上記後部側面部の左右の前端からリング内方に向かう左右の前部側面部と、上記前部側面部の前端をつなぐ正面部を有し、かつ、左右の前部側面部と正面部の境界に形成された左右の角部を有するものとするという手段を講じたものである。
【０００８】
本考案のパッド装置は、シャドーボクシング時にパンチを当て又は受けるために使用するものである。パッドであるから外皮（カバー）の内部に詰め物が充填されて弾力性があり、かつ、それによって一定の形状を保っている。
【０００９】
本考案のパッド装置は、人体の上半身相応の大きさを有し、リングのコーナー部分に配置するパッド本体と、そのパッド本体をリングのコーナー部分に取り付ける取り付け手段とから成っている。さらにパッド本体はシャドーボクシング時に受けるパンチに耐える構造と強度を有し、取り付け手段は、パッド本体をずれ動かないように安定して取り付けるためのものである。
【００１０】
上記パッド本体は、ほぼ直角のコーナーを形成する左右のロープに接する左右の後部側面部と、上記後部側面部の左右の前端からリング内方に向かう左右の前部側面部と、上記前部側面部の前端をつなぐ正面部を有し、かつ、左右の前部側面部と正面部の境界に形成された左右の角部を有するものとする。左右の前部側面部はリング内方へ向かうため、左右のロープとの間に空間が形成され、左右からフックを打ちやすい面になっている。これに対して正面部は最もリングの内方に出ており、かつ、左右に角部を有するためストレートパンチを打ちやすくなっている。
【００１１】
上記パッド本体については、左右の後部側面部の後端をつなぐ後面部を設けることによってコーナー部分に空間ができ、かつまた、左右の前部側面部よりも、正面部の下端部が高くなるように斜めにカットした傾斜下面部とそれにより正面部との間にできたアッパーカットを受ける下角部を有しているならば、より望ましい形状といえる。斜めにカットした傾斜下面部の水平面に対する角度は任意で良いが、実験では１０度ないし２０度ほど、より好適には約１５度が適当であった。
【００１２】
パッド本体の形状については、平面形状がほぼ正方形の直方体を基本形状とし、正方形の対角線の両端に位置する二つの角をそれぞれ上下に切除して六角柱状とし、切除して形成した二つの面のどちらか一方を正面部とし、他方を後面部とし、正面部の左右両側を前部側面部とし、後面部の左右両側を後部側面部とした構成であるといっても良い。本発明におけるパッド本体の構成はより実戦に適った機能を有しており、また、製造もしやすいので望ましいものである。
【００１３】
パッド本体の取り付け手段としてベルトを装備し、パッド本体の左右の後部側面部を左右のロープに押し当てた状態に保つように、左右の後部側面部に上記ベルトの一端部を取り付け、ベルトの他端部をコーナーポスト及びロープに取り付けることが望ましい。パッド本体の左右の後部側面部を左右のロープに押し当てられて安定し、ベルトをコーナーポスト及びロープに取り付けることでその安定した状態が保たれるので好ましいのである。
【考案の効果】
【００１４】
本考案は以上のように、左右の前部側面部と正面部の境界に形成された左右の角部を有するもので多角形になっているから、ジャブ、ストレート、フック、アッパー、スマッシュ、オーバーハンド等あらゆる角度の基本的なパンチの練習が可能になり、人の手を借りずに実戦的で創造的なトレーニングを行えるので、リング内でのシャドーボクシングに適したシャドーボクシング用パッド装置を提供することができる。特に、パッド本体を対戦相手の頭部に想定し、ディフェンスを意識しながら攻撃のパンチを繰り出し、体の位置を入れかえ、ウェービング、ダッキング、ブロッキング等の練習を実施することができる。また、本考案によれば、取り付けが容易で、位置がずれず安定して使用することができるシャドーボクシング用パッド装置を提供することができる。
【考案を実施するための最良の形態】
【００１５】
以下図示の実施形態を参照して、本考案をより詳細に説明する。図１は本考案に係る装置パッド装置１０の一例を示す正面図であり、１１は人体の上半身相応の大きさを有し、リングのコーナー部分に配置するパッド本体、１２はその取り付け手段を示しており、取り付け手段１２は、後述するようにパッド本体１０をリングのコーナー部分Ｃに取り付けるために使用する（図５、図６参照）。
【００１６】
このパッド本体１１には、ほぼ直角のコーナーを形成する左右のロープＲに接する左右の後部側面部１３ｌ、１３ｒと、上記後部側面部の左右の前端からリング内方に向かう左右の前部側面部１４ｌ、１４ｒと、上記前部側面部の前端をつなぐ正面部１５と、左右の前部側面部と正面部の境界に形成された左右の角部１７ｌ、１７ｒを有することが、まず必要とされる。左右の後部側面部１３ｌ、１３ｒは、ほぼ直角のコーナーを形成する左右のロープＲに接することで取り付け時の安定性を確保することに寄与し、また、左右の前部側面部１４ｌ、１４ｒは、パッド本体１１にリング内方に向かう形状を与えることで、正面部１５がリング内方へ突出するようになる。
【００１７】
上記パッド本体１１の形態は、平面形状がほぼ正方形の直方体を基本形状とし、正方形の対角線の両端に位置する二つの角をそれぞれ上下に切除して六角柱状とし、切除して形成した二つの面のどちらか一方を正面部１５とし、他方を後面部１６とし、正面部１５の左右両側を前部側面部１４ｌ、１４ｒとし、後面部１６の左右両側を後部側面部１３ｌ、１３ｒとした構成ということができる。されている。後面部１６は、パッド本体１０をリングのコーナー部分Ｃに取り付けるときに、コーナーパッドないしはコーナーマット等Ｓが入るスペースを形成する（図６参照）。
【００１８】
本考案のパッド本体１１は、左右の前部側面部１４ｌ、１４ｒと正面部１５の境界にそれぞれ左右の角部１７ｌ、１７ｒが形成されることになる。この左右の角部１７ｌ、１７ｒの両側に、パンチを当てる前部側面部１４ｌ、１４ｒ、正面部１５が多角形状に配置されているので、ジャブ、ストレート、フック、アッパー、スマッシュ、オーバーハンド等あらゆる角度の基本的なパンチの練習を可能になる。なお、正面部１５は対戦者の顔面を想定した大きさとするのが良い。
【００１９】
パッド本体１１の形態として必要なもう一つの要素は、左右の前部側面部１４ｌ、１４ｒよりも、正面部１５の下端部が高くなるように斜めにカットした傾斜下面部１８ａとそれにより正面部との間にできたアッパーカットを受ける下角部１９を有することである。図示の例では、基本形状を六角柱状とするパッド本体１１の下面部１８の前半部にのみ傾斜下面部１８ａを設けている（図３、図４の二点鎖線は水平な下面部を示している）。つまり、パッド本体１１の下面部１８の後半部および上面部２０は水平面で良いが、しかしまた、パッド本体１１の下面全体を傾斜下面部１８ａとしても良いことは当然である。傾斜下面部１８ａの水平面に対する角度は、約１５度に設定して好適な結果が得られた。
【００２０】
このような構成を有するパッド本体１１は、合成樹脂シートを加工して左右の後部側面部１３ｌ、１３ｒ、左右の前部側面部１４ｌ、１４ｒ、正面部１５、後面部１６を有するほぼ六角柱状の形態と、傾斜面を含む下面部１８および上面部２０から成る、中空な入れ物を形成し、その上面部２０はヒンジ状に後面部側につながっているが、ほかの５面部との接続部分には、スライドファスナーなどの閉じ具２１を設けた構成である。よって、パッド本体１１の内部にパンヤなどとも呼ばれる詰め物２２を充填し、閉じ具２１により上面部２０を閉じてパッド本体１１を形成するものである。詰め物２２としては、ほぼ六角柱状にあらかじめ切断したスポンジ等の他、スポンジその他の柔軟材より成るチップを充填しても良く、図３に示す例では、形状、硬軟、耐久性等を考慮して、薄手の樹脂シート材を、調整材２３として詰め物２２の正面部を中心とする外周に充填している。
【００２１】
前述の取り付け手段１２はベルトから成り、上記左右の後部側面部１３ｌ、１３ｒに上記ベルトの一端部を取り付け、ベルトの他端部をコーナーポストＰ及びロープＲに取り付けるように構成され、パッド本体１１の左右の後部側面部を１３ｌ、１３ｒ左右のロープに押し当てた状態に保つように取り付けるものである（図５、図６参照）。
【００２２】
実施形態における取り付け手段１２は、図１、図２及び図４に示されているように、コーナーポストＰに固定する一組の上部ベルト２４ｌ、２４ｒと、相互に直交関係にあるロープＲ、Ｒに固定される、左右二組の下部ベルト２５ｕ、２５ｄ、２６ｕ、２６ｄとから構成されている。なお、上部ベルト２４ｌ、２４ｒの一端部は、やや高い位置に配置されることから、安定性を考慮して斜めに取り付けている。これらのベルト２４ｌ、２４ｒ、２５ｕ、２５ｄ、２６ｕ、２６ｄは、それぞれの長さ調節手段とベルト他端部に取り付けられたバックル２７ａ、２７ｂを、上記固定のための手段として有している。図中２８はベルト取り付け部の当て布、２９はターンバックルを含むロープ緊張用の金具類を夫々示す。
【００２３】
このように構成された本考案のパッド装置１０は、ほぼ直角のコーナーを形成する左右のロープＲ、Ｒにパッド本体左右の後部側面部１３ｌ、１３ｒを接しさせた状態とし、ベルトを用いて固定する。その際、例えば上部ベルト２４ｌ、２４ｒを最上部のロープＲ１の上を通し、コーナーポストＰの外側に巻き付けて締め付け、バックル２７ａ、２７ｂで固定する。また、下部ベルト２５ｕ、２５ｄ、２６ｕ、２６ｄは上記左右の最上部Ｒ１と２番目のロープＲ２にそれぞれ巻き付けるなどして固定することができる（図５参照）。
【００２４】
上記のようにしてリングのコーナー部分に取り付けた、本考案のパッド装置１０を上方から見たのが図６であり、パッド本体１１が左右のロープＲ、Ｒに接して安定しており、矢印で示したように左右からパンチを打ってもずれてしまうことがない。また、パッド本体１１の基本形が直方体であるから、正面部１５と左右のロープＲ、Ｒとの間には４５度の角度のスペースができ、ロープＲ、Ｒにパンチを当てずにフックを打ちやすく、適切な高さに下角部１９が位置するのでアッパーカットも打ちやすい。なお、パッド本体１１の後面部１６との間のスペースにコーナーパッドないしはコーナーマット等Ｓが入るが、これによって、ターンバックルを含むロープ緊張用金具類２９を保護することにもなり、より有効である。
【００２５】
このように、本考案のパッド装置１０によれば、練習する者Ｆはパッド装置１０の正面に立ち、足の位置、スタンス、姿勢を固定して、基本的なジャブ、ストレート、アッパーカットの反復練習を行い（図７Ａ）、かつまた、左右からフックの反復練習を行うことができるので（図７Ｂ）、或る程度の指導を施した後は、練習者個人で好きなだけ練習することも可能になる。そして、本考案のパッド装置１０は例えば人工皮革製の外皮にスポンジを充填してパッド本体１１を形成し、これに強靭な合成樹脂製ベルトを取り付け手段として取り付けて構成することができる。これに対して、従来の練習器具では、
・ナス型サンドバッグ：ストレート、フック、アッパー等各パンチの練習用であるが、パンチを打つたびに動いて一定位置に静止しないので、トレーナーが支える必要がある、
・壁掛けサンドバッグ：壁面などにアンカーボルトなどで固定した四角柱型のサンドバッグであるが、土台作りや設置工事が必要なためコストが高くなり、移動が困難であり、強固なため拳や手首を痛める恐れもある。本考案のものは、以上の構成を有するから、既存のリングを利用して設置でき、固定式でありながらソフト感があり、耐久性があるが修理も可能であるから、実用性、耐久性、安全性そして低価格という特徴を持ち、画期的な練習用具であるということができる。なお、撤去も容易であるから、必要なときには直ぐに取り付け手段１２を解き外して、リングを試合の可能な状態に戻すことができる。
【図面の簡単な説明】
【００２６】
【図１】本考案に係るシャドーボクシング用パッド装置の一例を示す平面図である。
【図２】同上の装置の正面図である。
【図３】同上の装置の一部を破断して示す斜視図である。
【図４】同上の装置を後方から見た斜視図である。
【図５】同上の装置をリングのコーナー部分に取り付けた状態を示す斜視図である。
【図６】同じく取り付け状態を示す平面図である。
【図７】同上の装置の使用状態Ａ、Ｂを示す説明図である。
【符号の説明】
【００２７】
１０  パッド装置
１１  パッド本体
１２  取り付け手段
１３ｌ、１３ｒ  左右の後部側面部
１４ｌ、１４ｒ  左右の前部側面部
１５  正面部
１６  後面部
１７ｌ、１７ｒ  左右の角部
１８  下面部
１８ａ  傾斜下面部
１９  下角部
２０  上面部
２１  閉じ具
２２  詰め物
２３  調整材
２４ｌ、２４ｒ  上部ベルト
２５ｕ、２５ｄ  左の下部ベルト
２６ｕ、２６ｄ  右の下部ベルト
２７ａ、２７ｂ  バックル
２８  当て布
２９  ターンバックルを含む金具類
Ｃ  コーナー部分
Ｆ  練習者
Ｐ  コーナーポスト
Ｒ  ロープ
Ｓ  コーナーパッドないしはコーナーマット等
【図１】
0003167134.tif 000003
【図２】
0003167134.tif 000004
【図３】
0003167134.tif 000005
【図４】
0003167134.tif 000006
【図５】
0003167134.tif 000007
【図６】
0003167134.tif 000008
【図７】
0003167134.tif 000009